(57)【特許請求の範囲】
【請求項１】
電気機器のプラグを接続するために壁面に設けられたコンセントに対向する位置に前記プラグを挿入するための挿入孔を備え、前記挿入孔を形成する円筒状の筒体の一端の一部に、前記電気機器に設けられたハンガー部を懸架するための突出部を設け、前記突出部が上方に位置する第一の状態と前記突出部が下方に位置する第二の状態とを回転可能に前記筒体の他端が壁面に取り付けられる回転体と、
前記回転体が前記第二の状態に回転されたときに、前記コンセントに接続されている前記プラグを押し出し、前記プラグが前記コンセントに接続されたときに、前記回転体を前記第一の状態に回転させる駆動部とを、
を備えたことを特徴とするフック。
【発明の詳細な説明】
【技術分野】
【０００１】
本発明は、電気機器を懸架するために壁面に設置されるフックに関し、特に懸架した電気機器のプラグを接続するためのコンセントを近傍に備えたフックに関する。
【背景技術】
【０００２】
従来、一般家庭や企業、その他の施設（以下、施設とする）では、各種の電気機器が用いられている。電気機器は、外部から電力を必要とすることが多い。そのため、電気機器を使用する使用者は、施設内の壁面などに設けられたコンセントに電気機器のコードの先端に設けられたプラグを接続していた。これにより、コンセントから電気機器へ電力が供給される。
【０００３】
ところで、電気機器の一例として、病院の病室などで使用されるナースコール子機が挙げられる。ナースコール子機は、病室内の患者の近辺（例えば、ベッド近傍など）に設置され、患者が医療従事者を呼び出す際に使用される。また、ナースコール子機は、医療従事者の居る部屋（例えば、スタッフルームなど）に設置されたナースコール親機と有線により接続される。この状態でナースコール子機が接続されると、ナースコール親機は呼び出しを報知する。ここで、ナースコール子機およびナースコール親機は有線により接続されているので、病院内の壁の中に伝送線が配設され、伝送線の先端部分に設けたコンセントが病室内のベッドサイドの壁面に設置される。そして、ナースコール子機のコードの先端に設けたプラグがコンセントに接続される。
【０００４】
通常、プラグがコンセントに接続された場合、プラグの先端部分がコンセント内に収容されるものの、プラグのほとんどの部分がコンセントから露出した状態になる。このような状態において、プラグが外部からの力を受けると、プラグやコンセントが壊れてしまうケースが生じるという問題があった。
【０００５】
ところで、ナースコール子機などの電気機器は、その使用状態などにより、使用者の手元に常に置いておく必要がないケースもあった。そのため、電気機器にハンガー部を設け、壁面に設置されているフックに電気機器のハンガー部を懸架するケースがあった。その場合、電気機器のプラグを接続するためのコンセントとフックとを壁面に設ける必要があるため、壁面のスペースを有効に活用することができなくなってしまうという問題があった。
【０００６】
これらの二つの問題を解決するために、プラグが外部からの力を受けないようにしながら、フックとコンセントとの設置面積をできるだけ小さくする技術が知られている（例えば、特許文献１など）。特許文献１に記載の小型電気機器の支持構造では、電気カミソリ本体とコードとを接続する部分の両側にフックを設けている。これにより、電気カミソリ本体とコードとを接続する部分がフックによって保護され、この部分が外部からの力を受けないようにすることができる。また、電気カミソリ本体とコードとを接続する部分がフックに挟まれるように設けられているので、これらの設置面積を小さくすることができる。
【０００７】
しかしながら、特許文献１に記載の技術では、フックが電気カミソリ本体とコードとを接続する部分の両側に設けられているだけなので、その他の方向から力を受けた場合には、電気カミソリ本体とコードとを接続する部分が壊れてしまうケースが生じるという問題があった。このような問題を解決するために、フックによりプラグの周囲を全周にわたって保護することができるように、プラグを挿入するための挿入孔をフックに形成することが考えられる。ここで、挿入孔は、フックが壁面に取り付けられた状態で、壁面と直交するように形成されている。また、挿入孔の一端の開口部には、プラグを挿入するための挿入口が形成されるとともに、挿入孔の他端の開口部には、コンセントが配置される。このようなフックの挿入孔にプラグを挿入し、プラグをコンセントに接続すると、フックがプラグの全周を覆うようになるので、フックが外部の力を受けてもプラグに力が伝達されない。
【０００８】
しかしながら、この従来技術では、フックがプラグの周囲を覆っているので、使用者がプラグを持ち難くなり、プラグをコンセントから取り外し難くなってしまうという問題があった。
【０００９】
ところで、壁面のフックが特定の電気機器を懸架するためのものである場合、この電気機器よりも重い物体が懸架されると、フックが重さに耐えることができなくなり、フックが壊れてしまうケースが生じるという問題があった。
【先行技術文献】
【特許文献】
【００１０】
【特許文献１】実開昭５９−１８４８７号公報
【発明の概要】
【発明が解決しようとする課題】
【００１１】
本発明は、このような問題を解決するために成されたものであり、電気機器のプラグを接続するコンセントを壁面に併設しても、できるだけ少ないスペースに収まり、コンセントに接続されたプラグに外部からの力が加わらないようにしつつ、プラグをコンセントから取り外し易くするとともに、電気機器以外の物体を懸架され難くすることができるようにすることを目的とする。
【課題を解決するための手段】
【００１２】
上述した課題を解決するために、本発明のフックは、電気機器のプラグを接続するために壁面に設けられたコンセントに対向する位置にプラグを挿入するための挿入孔を設け、電気機器に設けられたハンガー部を懸架するための突出部を一端の一部に設けた筒体を回転可能に壁面に取り付け、突出部が下方に位置するように筒体を回転したときに、コンセントに接続されているプラグの接続を解除し、プラグがコンセントに接続されたときに、突出部が上方に位置するように筒体を回転させる駆動部を備えるようにしている。
【発明の効果】
【００１３】
上記のように構成した本発明によれば、コンセントに対向する挿入孔を囲むように筒体が形成されているので、電気機器のプラグを接続するコンセントを壁面に併設しても、コンセントとフックとをできるだけ少ないスペースに収めることができる。また、プラグをコンセントに接続した場合には、プラグの全周が筒体により保護されるので、コンセントに接続されたプラグに外部からの力が加わらないようにすることができる。また、プラグをコンセントに接続した場合には、駆動部が筒体を回転させて、突出部を上方に移動させるので、電気機器のハンガー部を突出部により保持することができる。また、プラグをコンセントに接続した状態で筒体を回転させた場合には、駆動部がプラグの接続を解除させるので、プラグをコンセントから取り外し易くすることができる。また、プラグをコンセントに接続した場合には、突出部が上方に移動するが、この突出部はプラグをコンセントに接続した電気機器によって使用される可能性が高くなる。また、筒体を回転させて突出部を下方に移動させると、突出部がハンガー部を保持しなくなる。従って、何れの場合においても、電気機器以外の物体をフックに懸架され難くすることができる。
【図面の簡単な説明】
【００１４】
【図１】本実施形態によるフックの外観例を示す図である。
【図２】本実施形態によるフックを壁面に取り付けた状態を示す図である。
【図３】本実施形態によるフックを壁面に取り付けた状態を示す断面図である。
【発明を実施するための形態】
【００１５】
以下、本発明の一実施形態を図面に基づいて説明する。本実施形態によるフックは、電気機器に設けられたハンガー部を懸架するために使用される。ここで、本実施形態では、電気機器としてナースコール子機を使用している。図１は、本実施形態によるフックの外観例を示す図である。また、図２は、本実施形態によるフックを壁面に取り付けた状態を示す図である。また、図３は、本実施形態によるフックを壁面に取り付けた状態を示すＡ−Ａ´断面図である。
【００１６】
図１に示すように、本実施形態によるフックは、回転体１および駆動部２を備えて構成されている。また、回転体１は、内部に挿入孔３を形成した円筒状の筒体４により形成されている。また、図２および図３に示すように、駆動部２は、筒体４の内部に収容されている。挿入孔３は、プラグを挿入するためのものである。そのため、挿入孔３の大きさは、プラグを挿入可能とする程度の大きさである。
【００１７】
筒体４は、その内周にらせん状の溝部５を形成している。また、筒体４の長さは、プラグの長さと略同じ長さである。また、図２（ａ）に示すように、回転体１は、挿入孔３がプラグを接続するために壁面に設けられたコンセントに対向するように、壁面に取り付けられる。ここで、コンセントは、壁面から突出して形成されている。また、筒体４の壁面方向の外周には溝が形成されており、この溝を壁面に設けられた凸条部に嵌合させることにより、回転体１が壁面に対して回転可能となる。
【００１８】
駆動部２は、図３（ａ）に示すように、回転体１の挿入孔３の内周部分とコンセントとの間に形成されている空間にその筐体を収容している。また、駆動部２にはピン状の凸部が形成されており、この凸部を筒体４の溝部５に収容している。駆動部２は、その筐体が挿入孔３とコンセントとにより挟持され、凸部が溝部５により保持されるため、回転体１から脱落することはない。また、駆動部２の筐体は、挿入孔３から挿入されたプラグの先端部分に当接する。
【００１９】
らせん状の溝部５は、回転体１の内周部分を略半周に渡って形成されている。本実施形態では、溝部５は筒体４を貫通するように形成されているため、筒体４の外周からも溝部５を視認することが可能である。ここで、駆動部２の凸部が溝部５に収容されているため、回転体１の回転は、駆動部２の凸部が溝部５内を移動する範囲に規制される。すなわち、回転体１は約半周だけ回転することが可能である。
【００２０】
図２（ａ）および図３（ａ）に示す状態では、駆動部２の凸部は溝部５の最も壁面から遠い部分に位置している。この状態で挿入孔３からプラグが挿入され、プラグの先端部分が駆動部２の筐体に当接し、そのままプラグがコンセントに接続されると、駆動部２の筐体に壁面方向への力が加わり、駆動部２の筐体が壁面方向に移動する。すると、駆動部２の凸部が収容されている溝部５にも壁面方向への力が加わり、溝部５がらせん状に形成されているため、筒体４が反時計周りで回転し、図２（ｂ）および図３（ｂ）に示す状態になる。この状態では、駆動部２の凸部は、溝部５の最も壁面に近い部分に位置しており、溝部５によって筒体４の回転が規制される。
【００２１】
一方、図２（ｂ）および図３（ｂ）に示す状態で回転体１を時計回りで回転させると、溝部５によって凸部に力が加わり、駆動部２の筐体は壁面の反対方向に移動する。すると、プラグの先端部分にも壁面の反対方向への力が加わり、プラグとコンセントとの接続が解除され、図２（ａ）および図３（ａ）に示す状態になる。この状態でも、駆動部２の凸部は、溝部５によって筒体４の回転が規制される。
【００２２】
また、回転体１の図１中手前方向の一端の一部には、突出部６が形成されている。図２（ｂ）および図３（ｂ）に示すように、この突出部６が上方に位置している状態（特許請求の範囲の第一の状態に該当する）で、ナースコール子機のハンガー部を筒体４に懸架すると、突出部６によりハンガー部が保持される。一方、図２（ａ）および図３（ｂ）に示すように、突出部６が下方に位置している状態（特許請求の範囲の第二の状態に該当する）で、ナースコール子機のハンガー部を筒体４に懸架しても、ハンガー部が保持されないため、ナースコール子機が筒体４から落下し易くなってしまう。
【００２３】
以上、詳しく説明したように、本実施形態のフックは、内部に挿入孔３を形成した円筒状の筒体４により形成された回転体１と、筒体４の内部に収容された駆動部２とから構成される。また、筒体４はその内周にらせん状の溝部５を形成し、その溝部５は駆動部２に形成されたピン状の凸部を収容している。また、筒体４の一端の一部には、突出部６が形成されている。そして、突出部６が下方に位置している状態で、かつ、駆動部２の凸部が溝部５の壁面から遠い部分に位置している状態で、挿入孔３からプラグが挿入され、プラグの先端部分が駆動部２の筐体に当接し、そのままプラグがコンセントに接続されると、駆動部２の筐体に壁面方向への力が加わる。駆動部２の筐体は壁面方向に移動し、溝部５にも力が加わる。すると、溝部５に加わった力によって筒体４が反時計周りで回転し、突出部６が上方に位置している状態になる。また、突出部６が上方に位置している状態で、かつ、駆動部２の凸部が溝部５の壁面に近い部分に位置している状態で、回転体１を時計回りで回転させると、溝部５によって駆動部２の凸部に力が加わり、駆動部２の筐体は壁面の反対方向に移動し、筐体に押されたプラグは、コンセントとの接続を解除する。
【００２４】
これにより、コンセントに対向する挿入孔３を囲むように筒体４が形成されているので、コンセントとフックとをできるだけ少ないスペースに収めることができる。また、プラグをコンセントに接続した場合には、プラグの全周が筒体４により保護されるので、コンセントに接続されたプラグに外部からの力が加わらないようにすることができる。また、プラグをコンセントに接続した場合には、駆動部２の凸部が筒体４を回転させて、突出部６を上方に移動させるので、ナースコール子機を突出部６により保持することができる。また、プラグをコンセントに接続した状態で筒体４を回転させた場合には、駆動部２の筐体がプラグの接続を解除させるので、プラグをコンセントから取り外し易くすることができる。また、プラグをコンセントに接続した場合には、突出部６が上方に移動するが、この突出部６はプラグをコンセントに接続したナースコール子機によって使用される可能性が高くなる。また、筒体４を回転させて突出部６を下方に移動させると、突出部６がハンガー部を保持しなくなる。従って、何れの場合においても、ナースコール子機以外の物体をフックに懸架され難くすることができる。
【００２５】
なお、前述した実施形態では、筒体４に形成されたらせん状の溝部５によって筒体４の壁面に対する回転を規制しているが、これに限定されない。例えば、筒体４に設けた溝にストッパーを形成することで、筒体４の壁面に対する回転を規制するようにしても良い。
【００２６】
また、前述した実施形態では、筒体４に形成されたらせん状の溝部５に駆動部２の凸部を収容することで、回転体１の回転とプラグの接続または接続解除とを連動するようにしているが、これに限定されない。例えば、回転体１の回転とプラグの接続または接続解除とを連動するために歯車などを用いるようにしても良い。
【００２７】
また、前述した実施形態や変形例では、回転体１の回転とプラグの接続または接続解除とを機械的に連動させているが、これに限定されない。例えば、電気的に駆動するようにしても良い。
【００２８】
また、前述した実施形態では、筒体４の一端の一部のみに形成されている突出部６以外に筒体４から突出している部分が存在していないが、これに限定されない。例えば、突出している部分が突出部６と比較して短いものであれば、筒体４の一端の周囲のいかなる位置に存在していても良い。
【００２９】
その他、フックの構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００３０】
１    回転体
２    駆動部
３    挿入孔
４    筒体
５    溝部
６    突出部
【図１】
0005484202.tif 000002
【図２】
0005484202.tif 000003
【図３】
0005484202.tif 000004